(57)【要約】      （修正有）【課題】重なり部分を有する媒体の画像形成後の乾燥を効率的に行う方法の提供。【解決手段】２枚の布帛１１１ａ、１１１ｂが縫製されて一部又は全部が重なり合う重なり部分を有する被捺染物１１１に画像を形成するとき、被捺染物１１１内に、屈曲変形可能な面状の発熱部材２００を画像が形成される領域の背面側に配置されるように内包させ、布帛１１１ａと１１１ｂとの重なり部分の間に発熱部材２００を介在させ、発熱部材２００を内包した被捺染物１１１を保持ドラムの外周に保持させ、記録ヘッドによって画像を形成した後、発熱部材２００に給電して発熱させることで、被捺染物１１１の画像が形成された側の布帛を内部から加熱して、付着した液体を乾燥する。【選択図】図１０
2016108701.tif 000002
【特許請求の範囲】
【請求項１】
一部又は全部が重なる重なり部分を有する媒体に画像を形成するとき、
前記媒体の重なり部分に発熱部材を介在させた状態で画像を形成し、
前記媒体に画像を形成した後、前記発熱部材を発熱させて前記媒体の前記画像を形成された側を加熱する
ことを特徴とする画像形成方法。
【請求項２】
媒体を画像形成手段に対して相対的に移動させ、前記媒体に画像を形成するとき、
前記媒体と発熱部材とを重ね合わせた状態で画像を形成し、
前記媒体に画像を形成した後、前記発熱部材を発熱させて前記媒体を加熱する
ことを特徴とする画像形成方法。
【請求項３】
前記発熱部材が発熱体を含んでいる
ことを特徴とする請求項１又は２に記載の画像形成方法。
【請求項４】
前記発熱部材が誘導加熱手段によって加熱されて発熱する部材である
ことを特徴とする請求項１又は２に記載の画像形成方法。
【請求項５】
一部又は全部が重なる重なり部分を有する媒体に画像を形成するときに前記媒体の重なり部分に介在される発熱部材が搭載可能であって、
前記発熱部材に備えられる発熱部材側接点と電気的に接続可能な装置側接点と、
前記装置側接点と前記発熱部材側接点とを介して前記発熱部材に給電する給電手段と、
前記媒体に画像を形成する手段と、
前記媒体を保持する手段と、を有する画像形成装置に対して接続及び切り離し可能な発熱部材において、
前記装置側接点と電気的に接続可能な前記発熱部材側接点と、
前記給電部から供給される電力により発熱する発熱体と、
を有することを特徴とする発熱部材。
【請求項６】
一部又は全部が重なる重なり部分を有する媒体に画像を形成するときに前記媒体の重なり部分に介在される発熱部材が搭載可能であって、
前記発熱部材に備えられる発熱部材側接点と電気的に接続可能な装置側接点と、
前記装置側接点と前記発熱部材側接点とを介して前記発熱部材に給電する給電手段と、
前記媒体に画像を形成する手段と、
前記媒体を保持する手段と、を有する
ことを特徴とする画像形成装置。
【請求項７】
媒体に画像を形成する手段と、
媒体を保持する手段と、
一部又は全部が重なる重なり部分を有する前記媒体に画像を形成するときに前記媒体の重なり部分に挟まれる発熱部材を誘導加熱で発熱させる誘導加熱手段と、を備えている
ことを特徴とする画像形成装置。
【請求項８】
前記発熱部材を少なくとも２つの領域に分けて発熱させる手段を備えている
ことを特徴とする請求項６又は７に記載の画像形成装置。
【発明の詳細な説明】
【技術分野】
【０００１】
本発明は画像形成方法、発熱部材、画像形成装置に関する。
【背景技術】
【０００２】
画像形成装置として、保持部材に保持された被捺染物（媒体）に対して液体を吐出して画像を形成（捺染）する捺染装置が知られている。このように液体を吐出して画像を形成する場合、液体が付着した被捺染物を早期に乾燥させることが好ましい。
【０００３】
そこで、印字後の布帛を乾燥させる乾燥機構を備え、乾燥機構として、伝熱線を内蔵した加熱ヒータや温風ドライヤなどにより構成されるものを使用するものが知られている（特許文献１）。
【先行技術文献】
【特許文献】
【０００４】
【特許文献１】特開２００４−０５０７５９号公報
【発明の概要】
【発明が解決しようとする課題】
【０００５】
しかしながら、特許文献１に開示されているような乾燥機構にあっては、例えばシャツ等の既に縫製が施された形態で、布帛を２枚重ねた状態（胸側と背中側）で一方側に画像を形成するような場合、２枚以上の布帛に一様に加熱を行うことになり、効率的な乾燥を行うことができないという課題がある。
【０００６】
本発明は上記の課題に鑑みてなされたものであり、効率的な乾燥を行うことを目的とする。
【課題を解決するための手段】
【０００７】
上記の課題を解決するため、本発明に係る画像形成方法は、
一部又は全部が重なる重なり部分を有する媒体に画像を形成するとき、
前記媒体の重なり部分に発熱部材を介在させた状態で画像を形成し、
前記媒体に画像を形成した後、前記発熱部材を発熱させて前記媒体の前記画像を形成された側を加熱する
構成とした。
【発明の効果】
【０００８】
本発明によれば、効率的な乾燥を行うことができる。
【図面の簡単な説明】
【０００９】
【図１】本発明の第１実施形態における画像形成装置の一例の斜視説明図である。
【図２】同じく側面説明図である。
【図３】保持ドラムに被捺染物を保持する構成の説明に供する斜視説明図である。
【図４】同じく分解斜視説明図である。
【図５】同じく側面説明図である。
【図６】同実施形態に係る画像形成方法で使用する本発明に係る発熱部材の第１例の斜視説明図である。
【図７】同じく断面説明図である。
【図８】同発熱部材の第２例の平面説明図である。
【図９】同画像形成装置の制御部の説明に供するブロック図説明図である。
【図１０】同画像形成方法における被捺染物への発熱部材の内包を説明する斜視説明図である。
【図１１】同じく発熱部材を含む被捺染物を保持する状態を説明する分解斜視説明図である。
【図１２】同じく側面説明図である。
【図１３】本発明の第２実施形態における画像形成装置の一例の側面説明図である。
【図１４】ＩＨコイルの形状の説明に供する説明図である。
【図１５】同画像形成装置の制御部のブロック説明図である。
【図１６】同記画像形成装置を使用した本実施形態における画像形成方法における保持ドラムに保持するときの被捺染物の状態の説明に供する斜視説明図である。
【図１７】同実施形態で使用している本発明に係る発熱部材の一例の断面説明図である。
【図１８】本発明の第３実施形態における画像形成装置の一例の側面説明図である。
【図１９】本発明の第４実施形態における画像形成装置の一例の側面説明図である。
【図２０】同画像形成装置を使用した本実施形態における画像形成方法において保持ドラムに保持するときの被捺染物の状態の説明に供する斜視説明図である。
【発明を実施するための形態】
【００１０】
以下、本発明の実施の形態について添付図面を参照して説明する。本発明の第１実施形態における画像形成装置の一例について図１及び図２を参照して説明する。図１は同装置の斜視説明図、図２は同じく側面説明図である。
【００１１】
この画像形成装置は、画像形成手段として、液体を吐出する液体吐出ヘッドで構成した記録ヘッド２を搭載したキャリッジ４を備えている。キャリッジ４は、ガイド部材３に案内されて主走査方向（矢印Ａ方向）に往復移動される。
【００１２】
また、媒体である被捺染物１１を保持する保持部材としての回転体である筒状（中空状）の保持ドラム５を備えている。保持ドラム５はモータ３０６によってタイミングベルト及びプーリを含む駆動伝達機構８を介して送り方向（矢印Ｂ方向）に回転される。なお、保持ドラム５を往復回転させて画像を形成することもできる。
【００１３】
そして、被捺染物１１の画像を形成する領域より保持ドラム回転方向で上流側の任意の位置を保持ドラム５に保持させる第１の保持手段６と、被捺染物１１の画像を形成する領域より保持ドラム回転方向で下流側を保持ドラム５に保持させる第２の保持手段７とを備えている。
【００１４】
また、保持ドラム５の外周面に対向して、保持ドラム５に保持される被捺染物１１を押える押さえローラ９を備えている。押さえローラ９はスプリング２１で押さえ方向に付勢されている。また、押さえローラ９は開閉可能な上前カバー１２に保持されている。上前カバー１２を開閉することで、押さえローラ９が被捺染物１１を押える押さえ位置と保持ドラム５の周面から離間する離間位置との間で移動可能である。
【００１５】
また、上前カバー１２の下側には開閉可能な下前カバー１３が設けられている。
【００１６】
次に、保持ドラムに被捺染物を保持する構成について図３ないし図５も参照して説明する。図３は被捺染物の保持構造の説明に供する斜視説明図、図４は同じく分解斜視説明図、図５は同じく側面説明図である。
【００１７】
なお、ここでは、保持構造の説明であるので、本発明に係る画像形成方法を適用していない（発熱部材を用いていない）例で説明する。
【００１８】
保持ドラム５の外周面には、側面で見て一部を切り欠いた形状とすることで、被捺染物１１を保持した第１の保持手段６を嵌め込んで取付ける取り付け部５１と、被捺染物１１を押さえる第２の保持手段７を嵌め込んで取り付ける取り付け部５２を形成している。
【００１９】
保持ドラム５は、内部に空間５０を有する部材であり、上記取り付け部５１、５２には、保持ドラム５の軸方向に沿って、内外を通じる開口部５３、５４が設けられている。この開口部５３、５４を通じて被捺染物１１の余剰部分１１ａ、１１ｂを内部の空間５０に差し入れて収容することができる。なお、余剰部分１１ａ、１１ｂは、少なくとも被捺染物１１のうちの画像を形成する領域以外の領域の一部である。
【００２０】
第１の保持手段６は、２つに分割された受け部材６ａと押さえ部材６ｂとで構成され、凹凸で嵌め合わせる形状としている。押さえ部材６ｂは、第１の保持手段６を保持ドラム５の取り付け部５１に取り付けた状態で、押さえ部材６ｂの外周が、保持ドラム５の回転軌跡に沿う形状又は回転軌跡よりも内側（回転中心側）になる形状としている。
【００２１】
第１の保持手段６は、受け部材６ａと押さえ部材６ｂとの間に、被捺染物１１の画像を形成する領域以外の領域の任意の位置を挟むことができる。この状態で保持ドラム５の取り付け部５１に嵌め込むことで、被捺染物１１を第１の保持手段６によって保持ドラム５に保持することができる。
【００２２】
第２の保持手段７は、押さえ部材６ｂとほぼ同じ外形状を有し、保持ドラム５の取り付け部５２に取り付けた状態で、外周が、保持ドラム５の回転軌跡に沿う形状又は回転軌跡よりも内側（回転中心側）になる形状としている。
【００２３】
そして、この第２の保持手段７は、受け部材６ａと同様な外形状を有する保持ドラム５の取り付け部５２に嵌め込むことで、被捺染物１１を保持ドラム５に保持することができる。
【００２４】
このようにして、図２に示すように、保持ドラム５の外周に被捺染物１１が保持される。そこで、キャリッジ４を往復移動させ、保持ドラム５を間欠的に回転させて、記録ヘッド２から液体を吐出することで、被捺染物１１に画像を形成することができる。
【００２５】
次に、同実施形態に係る画像形成方法で使用する本発明に係る発熱部材の第１例について図６及び図７を参照して説明する。図６は同発熱部材の斜視説明図、図７は同じく断面説明図である。
【００２６】
発熱部材２００は、ポリイミドなどの樹脂層２０１Ａ，２０１Ｂ間に金属薄膜からなる発熱抵抗体２０１Ｃを挟み込んで接着剤２０１Ｄによって接合して構成した面状発熱体である。
【００２７】
なお、ここでは回転体の周面に被捺染物１１１を保持する構成であるので、発熱部材２００も屈曲変形可能（ドラム周面に倣って変形可能）であるが、平面状の載置台（媒体保持部材）を使用する装置であれば、屈曲変形可能である必要はない。以下の例及び実施形態でも同様である。
【００２８】
発熱部材２００は、後述する制御部の給電部３０９にコネクタ３１０を介して、装置本体に接続及び切り離し可能である。すなわち、画像形成装置は、一部又は全部が重なる重なり部分を有する媒体（被捺染物１１１）に画像を形成するときに、被捺染物１１１の重なり部分に挟まれる発熱部材２００が接続される手段としてのコネクタを備えている。
【００２９】
この場合、例えば樹脂層２０１Ｂを樹脂層２０１Ａよりも相対的に厚く形成しておき、樹脂層２０１Ｂが被捺染物の画像形成側と反対側になるように内包する。これにより、相対的に樹脂層２０１Ａ側への伝熱量ないし放熱量が多くなって、被捺染物の画像が形成された側を主に加熱することができる。
【００３０】
次に、発熱部材の第２例について図８を参照して説明する。図８は同発熱部材の平面説明図である。
【００３１】
発熱部材２００には、電気的に接続されていない２つの発熱抵抗体２０１ＣＡを配置した発熱領域２００Ａと、発熱抵抗体２０１ＣＢを配置した発熱領域２００Ｂとを有している。この場合、発熱領域の分割方向は、搬送方向でも、主走査方向でもよく、画像形成領域によって使い分けるようにすることもできる。
【００３２】
この場合、画像形成装置側の給電部３０９は、発熱部材２００の各発熱領域２００Ａ、２００Ｂを個別に発熱させるようにそれぞれの発熱抵抗体２０１ＣＡ、２０１ＣＢに対する給電を制御する。
【００３３】
なお、３つ以上の発熱領域を設けることもできる。また、４分割すれば、搬送方向及び主走査方向において、それぞれ２分割で発熱させることも可能になる。
【００３４】
このように構成することで、給電する抵抗体２０１ＣＡ、２０１ＣＢを選択することにより、発熱領域２００Ａのみ、発熱領域２００Ｂのみ、発熱領域２００Ａと２００Ｂを合わせた領域の３種類の発熱領域を選択することができる。
【００３５】
これによって、形成する画像のサイズや画像形成位置などに応じて加熱する領域を選択することができ、無駄な電力消費を抑えることができる。
【００３６】
次に、この画像形成装置の制御部について図９のブロック図を参照して説明する。
【００３７】
この制御部は、加熱制御を行う手段を兼ねている主制御部３０１と、ヘッド駆動制御部３０２、主走査駆動部３０３、ドラム駆動部３０５、給電手段である給電部３０９などを備えている。
【００３８】
主制御部３０１は、ＣＰＵ，ＲＯＭ及びＲＡＭ、Ｉ／Ｏなどのマイクロコンピュータ、ＶＲＡＭ、ＡＳＩＣ（特定用途集積回路）などで構成される。
【００３９】
主制御部３０１には、ホスト４００のプリンタドライバ４０１側から与えられる印刷情報、媒体種類情報、画像形成モード情報などの各種情報が入力される。
【００４０】
主制御部３０１は、印刷情報に応じた画像を被捺染物上に形成するため、ドラム駆動部３０５を介してモータ３０６を駆動制御し、保持ドラム５を間欠的に回転させる。また、主制御部３０１は、主走査駆動部３０３を介して主走査モータ３０４を駆動制御して、キャリッジ４を主走査方向（矢印Ａ方向）に移動走査させる。そして、ヘッド駆動制御部３０２を介して記録ヘッド２を駆動制御して、記録ヘッド２から所要の液体を吐出させ、画像を形成する。
【００４１】
また、この制御部の給電部３０９には、コネクタ３１０を介して前述した本発明に係る発熱部材２００を接続することができる。すなわち、発熱部材２００には発熱部材側接点となるコネクタ３１０Ａを有し、画像形成装置にはコネクタ３１０Ｂが接続される装置側接点となるコネクタ３１０Ｂが設けられ、コネクタ３１０Ａ、３１０Ｂの連結及び取り外しにより、発熱部材２００を画像形成装置に接続及び切り離し可能とし、接続したときにはコネクタ３１０を介して給電可能となる。
【００４２】
主制御部３０１は、給電部３０９をオン・オフ制御して、給電部３０９に接続された発熱部材２００に対する給電を制御し、画像形成後の被捺染物の加熱を行う制御をする。この場合、上記第２例のような複数の発熱領域を有する発熱部材２００が接続されたときには、画像形成位置や吐出した液体量などに応じて発熱領域を選択する制御や発熱量の制御も併せて行う。
【００４３】
次に、上記画像形成装置を使用した本実施形態における画像形成方法について図１０ないし図１２も参照して説明する。図１０は被捺染物に発熱部材を内包する状態の斜視説明図、図１１は同じく発熱部材を含む被捺染物を保持するときの分解斜視説明図、図１２は同じく側面説明図である。
【００４４】
本実施形態では、一部又は全部が重なり合う重なり部分を有する媒体としての被捺染物１１１に画像を形成する。被捺染物１１１は、例えば２枚の布帛１１１ａ、１１１ｂを縫製したシャツなどのように、前身頃（布帛１１１ａ）と後ろ見頃（布帛１１１ｂ）が重なっている媒体である。
【００４５】
そこで、図１０に示すように、被捺染物１１１の布帛１１１ａ、１１１ｂの間に、屈曲変形可能な面状の発熱部材２００を差し入れて、図１１に示すように、被捺染物１１１内に発熱部材２００を内包させる。
【００４６】
これにより、図１２にも示すように、被捺染物１１１の布帛１１１ａと１１１ｂとの重なり部分の間に発熱部材２００を介在させる。このとき、発熱部材２００は画像を形成する領域の背面側（内面側）に配置されるように内包させる。
【００４７】
そして、図１２に示すように、発熱部材２００を内包した被捺染物１１１を、第１の保持手段６と第２の保持手段７とを使用して保持ドラム５の外周に保持させる。このとき、発熱部材２００は屈曲変形可能であるので、保持ドラム５の外周面に沿って被捺染物１１１を保持することができる。
【００４８】
このとき、本実施形態では保持ドラム５を使用しているので、発熱部材２００も保持ドラム５に固定保持することで、保持ドラム５が回転しても発熱部材２００の位置がずれないようにしている。平面上の載置台を媒体保持部材として使用する装置であれば、発熱部材２００が固定されないでもよい。
【００４９】
そして、発熱部材２００はコネクタ３１０を介して装置本体側の制御部の給電部３０９に接続する。
【００５０】
その後、前述したように保持ドラム５を回転して被捺染物１１１と発熱部材２００とを重ね合わせた状態で移動しながら、記録ヘッド２によって、被捺染物１１１の例えば布帛１１１ａ側に画像を形成する。
【００５１】
そして、画像形成後、発熱部材２００に給電して発熱させることで、被捺染物１１１の画像が形成された側の布帛（例えば布帛１１１ａ）を内部から加熱して、付着した液体を乾燥することができる。
【００５２】
これにより、速やかに被捺染物１１１を加熱することができて、効率的に乾燥することができる。
【００５３】
すなわち、本実施形態において、画像形成装置は、一部又は全部が重なる重なり部分を有する媒体に画像を形成するときに媒体の重なり部分に介在される発熱部材２００が搭載可能であって、発熱部材２００に備えられる発熱部材側接点であるコネクタ３１０Ａと電気的に接続可能な装置側接点であるコネクタ３１０Ｂと、装置側接点と発熱部材側接点で構成されるコネクタ３１０を介して発熱部材２００に給電する給電手段として給電部３０９を有している。
【００５４】
一方、発熱部材２００は、一部又は全部が重なる重なり部分を有する媒体に画像を形成するときに媒体の重なり部分に介在される発熱部材が搭載可能であって、発熱部材に備えられる発熱部材側接点と電気的に接続可能な装置側接点と、装置側接点と発熱部材側接点とを介して発熱部材に給電する給電手段と、媒体に画像を形成する手段と、媒体を保持する手段と、を有する画像形成装置に対して接続及び切り離し可能な発熱部材であって、装置側接点（コネクタ３１０Ｂ）と電気的に接続可能な発熱部材側接点（３１０Ａ）と、給電部から供給される電力により発熱する発熱体（２１０Ｃ）を有する。
【００５５】
次に、本発明の第２実施形態における画像形成装置の一例について図１３を参照して説明する。図１３は同画像形成装置の側面説明図である。
【００５６】
本実施形態では、誘導加熱装置５００を配置している。
【００５７】
誘導加熱装置５００は、保持ドラム５の外周側に配置されたＩＨコイル５０１と、ＩＨコイル５０１を挟んで保持ドラム外周面と反対側に磁路を形成する外部フェライトコア５０２と、ＩＨコイル５０１と外部フェライトコア５０２を同時に包み磁束の漏れを防ぐシールドカバー５０３を備えている。さらに、保持ドラム５内部で、ＩＨコイル５０１に対向する部分に、同様に磁路を形成する内部フェライトコア５０４を備えることもできる。
【００５８】
また、誘導加熱装置５００の近傍（ここでは下流側）には、赤外線温度センサ１８が配置されている。その他の構成は前記第１実施形態と同様であるので、説明を省略する。
【００５９】
次に、ＩＨコイルの形状について図１４を参照して説明する。図１４は同説明に供する説明図である。
【００６０】
ＩＨコイル５０１は、長手方向で保持ドラム５の軸方向（主走査方向）における画像形成領域の長さに対応し、短手方向で所要の周方向長さに相当する長さを有するほぼ長方形状に巻回したリッツ線で構成されている。このリッツ線に高周波電流を流すことで、加熱対象物（ここでは、後述する発熱部材２１０）が誘導加熱される。
【００６１】
次に、本実施形態で使用している本発明に係る発熱部材の一例について図１５を参照して説明する。図１５は同発熱部材の断面説明図である。
【００６２】
発熱部材２１０は、例えばポリイミドなどの基層２１１Ｂの上にアルミ、銅などをコーティングした発熱層２１１Ａ、更にＰＦＡ（ペルフルオロアルコキシフッ素樹脂）等の離型層２１１Ｃの複層構造としたものである。
【００６３】
この発熱部材２１０の基層２１１Ｂは厚さ０．１mm〜０．５ｍm程の金属ほどには熱伝導性に優れない樹脂層としている。これに対し、発熱層２１１Ａは０．１ｍｍ以下の薄い層で、表層の離型層２１１Ｃも０．０５ｍｍ程度の厚みとしている。これにより、発熱槽２１１Ａの熱量は離型層２１１Ｃに接触する被捺染物により効率良く吸収される。
【００６４】
なお、誘導加熱は、ＩＨコイル５０１に流れる高周波電流により発生する交番磁界によって磁性金属部材である発熱層２１１Ａに発生した渦電流でジュール熱を生じさせ、発熱層２１１Ａを含む発熱部材２１０を電磁誘導発熱させる。
【００６５】
なお、誘導加熱装置５００のフェライトコア５０２、５０４は空間に発生する磁界を閉じ込め、効率良く磁性金属部材（発熱層２１１Ａ）を通過する磁路を形成するためのものである。
【００６６】
これにより、発熱した発熱層２１１Ａ（磁性金属部材）の熱量は空間を介さず（薄い離形層２１１Ｃを経て）直接被捺染物に接触して熱伝達され、液体が付着した側の布帛を効率良く加熱乾燥することができる。
【００６７】
次に、この画像形成装置の制御部の概要について図１６のブロック図を参照して説明する。
【００６８】
ここでは、誘導加熱装置５００を駆動するＩＨ駆動部３１１を有している。その他の構成は前記第１実施形態と同様であるので、説明を省略する。
【００６９】
次に、上記画像形成装置を使用した本実施形態における画像形成方法について図１７も参照して説明する。図１７は保持ドラムに保持するときの被捺染物の説明に供する斜視説明図である。
【００７０】
本実施形態では、図１７に示すように、被捺染物１１１内に、誘導加熱が可能で、屈曲変形可能な面状の発熱部材２１０を内包させる。これにより、前述した第１実施形態と同様に、被捺染物１１１の布帛１１１ａと１１１ｂとの重なり部分の間に発熱部材２１０を介在させる。このとき、発熱部材２１０は画像を形成する領域の背面側（内面側）に配置されるように内包させる。
【００７１】
そして、このように被
【００７２】
その後、前述したように保持ドラム５を回転して被捺染物１１１と発熱部材２１０とを重ね合わせた状態で移動しながら、記録ヘッド２によって、被捺染物１１１の例えば布帛１１１ａ側に画像を形成する。
【００７３】
そして、画像を形成した後、誘導加熱装置５００によって発熱部材２１０を発熱（誘導加熱）させることで、被捺染物１１１の画像が形成された側の布帛（例えば布帛１１１ａ）を内部から加熱して、付着した液体を乾燥することができる。
【００７４】
これにより、速やかに被捺染物を加熱することができて、媒体を効率的に乾燥することができる。
【００７５】
次に、本発明の第３実施形態における画像形成装置の一例について図１８を参照して説明する。図１８は同画像形成装置の側面説明図である。
【００７６】
本実施形態では、誘導加熱装置５００を構成するＩＨコイルとして、独立して高周波給電可能な上流側ＩＨコイル５０１Ａと下流側ＩＨコイル５０１Ｂとを備えている。
【００７７】
これにより、発熱部材２１０を主に２つの領域に分けて加熱して発熱させることができる。なお、この場合、発熱部材２１０は一体であるので加熱領域はある程度重複することになるが、この形態でも「少なくとも２つの領域に分けて発熱させる」ことに含まれる。
【００７８】
次に、本発明の第４実施形態における画像形成装置の一例について図１９を参照して説明する。図１９は同画像形成装置の側面説明図である。
【００７９】
ここでは、保持ドラム５の外周側の近傍にヒータ加熱装置６００を配置している。ヒータ加熱装置６００は、例えばハロゲンヒータ６０１と、ハロゲンヒータ６０１の背面側（保持ドラム５と反対側）に配置した反射板６０２とを備えている。
【００８０】
その他の構成は前記第１実施形態と同様であるので、説明を省略する。
【００８１】
また、制御部の構成は、前記第２実施形態における誘導加熱装置５００の制御にかかわる部分を、ヒータ加熱装置６００を制御する構成に置換するだけであるので、同様に説明を省略する。
【００８２】
次に、上記画像形成装置を使用した本実施形態における画像形成方法について図２０も参照して説明する。図２０は保持ドラムに保持するときの被捺染物の説明に供する斜視説明図である。
【００８３】
本実施形態では、図２０に示すように、被捺染物１１１内に、屈曲変形可能な面状の断熱部材２２０を内包させる。これにより、被捺染物１１１の布帛１１１ａと１１１ｂとの重なり部分の間に断熱部材２２０を介在させる。このとき、断熱部材２２０は画像を形成する領域の背面側に配置されるように内包させる。
【００８４】
本実施形態で使用している断熱部材２２０は、断熱性及び耐熱性がある材質のものである。例えば、ガラス入り繊維やシリコン系、特殊アルミ系のものなどを使用できる。
【００８５】
そして、このように被捺染物１１１内に断熱部材２２０を内包した状態で保持ドラム５の外周に保持させる。
【００８６】
その後、記録ヘッド２によって画像を形成した後、加熱装置６００のハロゲンヒータ６０１によって、被捺染物１１１の画像が形成された側の布帛（例えば布帛１１１ａ）を内部から加熱して、付着した液体を乾燥することができる。
【００８７】
このとき、被捺染物１１１の画像が形成された側（例えば布帛１１１ａ）の内側には断熱部材２２０が配置されているので、ハロゲンヒータ６０１で発生した熱が反対側（例えば布帛１１１ａ）に伝達されることが抑制される。
【００８８】
これにより、速やかに被捺染物を加熱することができて、媒体を効率的に乾燥することができる。
【００８９】
なお、上記各実施形態においては、媒体が一部又は全部が重なる重なり部分を有する予め縫製されたシャツなどの被捺染物の例で説明している、被捺染物以外の媒体であっても同様に本発明を適用することができる。
【符号の説明】
【００９０】
２  記録ヘッド
５  保持ドラム
１１１  被捺染物（媒体）
２００  発熱部材
２１０  発熱部材
５００  誘導加熱装置
【図１】
2016108701.tif 000003
【図２】
2016108701.tif 000004
【図３】
2016108701.tif 000005
【図４】
2016108701.tif 000006
【図５】
2016108701.tif 000007
【図６】
2016108701.tif 000008
【図７】
2016108701.tif 000009
【図８】
2016108701.tif 000010
【図９】
2016108701.tif 000011
【図１０】
2016108701.tif 000012
【図１１】
2016108701.tif 000013
【図１２】
2016108701.tif 000014
【図１３】
2016108701.tif 000015
【図１４】
2016108701.tif 000016
【図１５】
2016108701.tif 000017
【図１６】
2016108701.tif 000018
【図１７】
2016108701.tif 000019
【図１８】
2016108701.tif 000020
【図１９】
2016108701.tif 000021
【図２０】
2016108701.tif 000022